(57)【要約】【課題】家族構成員等の所定の関係者に緊急事態を迅速に通報する。【解決手段】外出するに際してユーザーは、腕時計端末を装着しておく。この腕時計端末は、このホームネットワークからの定期的な送信を受信すると、この受信が緊急情報であるか否かを判断する（Ｓ１０）。緊急情報である場合であって家族の異常である場合には、家族緊急の報知を行って（Ｓ１２）、家族緊急状態の表示を実行する（Ｓ１３）。また、家族／自身の異常でなかった場合には、防災／防犯通報であるか否かを判断し（Ｓ１６）、防災／防犯通報であった場合には、防災防犯の報知を行って（Ｓ１７）、防災防犯情報の表示を実行する（Ｓ１８）。また、防災／防犯通報でなかった場合には、機器の異常であるか否かを判断し（Ｓ１９）、機器異常通報であった場合には、機器異常の報知を行って（Ｓ２０）、機器異常内容の表示を実行する（Ｓ２１）。【選択図】          図４
2004304690.tif 000002
【特許請求の範囲】
【請求項１】
緊急通報発信装置と緊急通報受信装置とからなる緊急通報システムであって、
前記緊急通報発信装置は、所定の関係者に通報すべき事項における異常を検出する異常検出手段と、
この検出手段により検出された異常を示す情報を外部のネットワークを介して送信する送信手段とを備え、
前記緊急情報受信装置は、携帯可能であって、前記送信手段により送信された前記情報を前記ネットワークを介して受信する受信手段と、
この受信手段により受信された前記情報に基づき前記異常の発生を報知する報知手段と
を備えることを特徴とする緊急通報システム。
【請求項２】
前記異常検出手段は、前記所定の関係者に通報すべき施設に関連する異常を検出するものであることを特徴とする請求項１記載の緊急通報システム。
【請求項３】
前記異常検出手段は、前記施設自体及び当該施設に配置されている機器の少なくともいずれか一方の異常を検出するものであることを特徴とする請求項２記載の緊急通報システム。
【請求項４】
前記異常検出手段は、前記所定の関係者の人体に関連する異常を検出するものであることを特徴とする請求項１記載の緊急通報システム。
【請求項５】
前記異常検出手段を有する前記緊急通報発信装置は、人体に着脱自在に装着可能であることを特徴とする請求項４記載の緊急通報システム。
【請求項６】
前記緊急情報受信装置は、人体の腕に装着可能であることを特徴とする請求項１記載の緊急通報システム。
【請求項７】
前記緊急情報受信装置は、前記受信手段により受信された前記情報に基づき、異常の内容を判別する判別手段を更に備え、
前記報知手段は、前記判別手段により判別された異常の内容を報知すること特徴とする請求項１記載の緊急通報システム。
【請求項８】
前記報知手段は、前記異常の内容を表示することにより報知することをことを特徴とする請求項７記載の緊急通報システム。
【請求項９】
住宅内に設置された緊急通報発信装置と携帯可能な緊急通報受信装置とからなる緊急通報システムであって、
前記緊急通報発信装置は、所定の関係者に通報すべき事項における異常を検出する異常検出手段と、
この検出手段により検出された異常を示す情報を外部に送信する送信手段とを備え、
前記緊急情報受信装置は、前記送信手段により送信された前記情報を受信する受信手段と、
この受信手段により受信された前記情報が家族の異常であるか否か、防災防犯通報であるか否かのいずれか少なくとも一つを判断する判断手段と、
この判断手段による判断結果に応じて当該異常の発生を報知する報知手段と
を備えることを特徴とする緊急通報システム。
【請求項１０】
人体の腕に装着可能であって、送信される所定の関係者に通報すべき事項における異常を示す情報を、ネットワークを介して受信する受信手段と、
この受信手段により受信された前記情報に基づき前記異常の発生を報知する報知手段と
を備えることを特徴とする緊急通報受信装置。
【請求項１１】
前記受信手段により受信された前記情報に基づき、異常の内容を判別する判別手段を更に備え、
前記報知手段は、前記判別手段により判別された異常の内容を報知すること特徴とする請求項９記載の緊急通報受信装置。
【請求項１２】
携帯可能であって、住宅内に設置された緊急通報発信装置から送信される異常を示す情報を受信する受信手段と、
この受信手段により受信された前記情報が家族の異常であるか否か、防災防犯通報であるか否かのいずれか少なくとも一つを判断する判断手段と、
この判断手段による判断結果に応じて当該異常の発生を報知する報知手段と
を備えることを特徴とする緊急通報受信装置。
【発明の詳細な説明】
【０００１】
【発明の属する技術分野】
【０００２】
本発明は、緊急通報を行う緊急通報システム及び緊急情報受信装置に関する。
【従来の技術】
【０００３】
今日においては、一般家庭においてもホームセキュリティシステムが普及されるに至っている。このホームセキュリティシステムは、家屋の玄関や窓等に配置されて侵入者を検知する侵入センサや台所等に配置されて火災の発生を検知する火災センサ等のセンサ群と、このセンサ群に接続されるとともに、無線あるいは電話回線を介して警備センターに接続された操作盤等で構成されている。そして、家人が外出するに際し操作盤に設けられている外出スイッチを操作すると、各センサがオン状態となって、警備状態となる。この警備状態において、例えば外部からの侵入者が侵入センサによって検出されると、操作盤から侵入者検知信号が警備センターに送信される。これにより、警備センターに待機している警備員は、契約者の家屋内に不審者の侵入があったことを認識し、当該契約者の家屋に急行して対応処置をとることとなる。
【０００４】
また、インターネットに接続されたセキュリティサービス会社サーバを設け、自宅内に設置された携帯端末を通してパソコンにより前記セキュリティサービス会社サーバと情報をやり取りし、セキュリティサービス会社サーバに対して緊急通報があった場合に自動的に、外部の携帯端末に電話をするように構成された技術も提案されるに至っている（例えば、特許文献１参照。）。
【０００５】
【特許文献１】
特開２００２−１５７６６５号公報
【０００６】
【発明が解決しようとする課題】
【０００７】
しかしながら、前述した従来のシステムにおいては、前述のように家庭内に異常が発生した場合に警備センターに報知するに過ぎない。したがって、当該家庭内の異常に最も重大な関心を有する家人への通報がなされないことから、外出している場合において家人は必ずしも十分な安心感を得ることができない。また、異常が発生した場合、警備センターから予め契約時に記載した連絡先に電話連絡がなされることとなるが、異常発生からの時間は経過してしまうこととなり、家族構成員等の関係者は迅速に異常発生を知ることができない。
【０００８】
これに対し、前記公報記載の技術によれば緊急事態が発生した際には、携帯電話を携帯している外部の関係者に自動的に電話がなされることから、関係者は迅速に異常発生を知ることは可能となる。しかし、この技術はインターネットに接続されたセキュリティサービス会社サーバーを必須とすることから、システムが大型で複雑となる。また、セキュリティサービス会社サーバーを使用することから、このシステムを利用するに際してはサービス会社と契約することが必要であって、利用手続も煩雑となる。
【０００９】
本発明は、このような従来の課題に鑑みてなされたものであり、簡単なシステム構成でありながら家族構成員等の所定の関係者に緊急事態を迅速に通報することのできる緊急通報システム及び緊急情報受信装置を提供することを目的とするものである。
【００１０】
【課題を解決するための手段】
【００１１】
前記課題を解決するために請求項１に係る発明にあっては、緊急通報発信装置と緊急通報受信装置とからなる緊急通報システムであって、前記緊急通報発信装置は、所定の関係者に通報すべき事項における異常を検出する異常検出手段と、この検出手段により検出された異常を示す情報を外部のネットワークを介して送信する送信手段とを備え、前記緊急情報受信装置は、携帯可能であって、前記送信手段により送信された前記情報を前記ネットワークを介して受信する受信手段と、この受信手段により受信された前記情報に基づき前記異常の発生を報知する報知手段とを備える。
【００１２】
したがって、家族構成員等の所定の関係者は、外出するに際して緊急情報受信装置を携帯する。一方、緊急通報発信装置は、所定の関係者に通報すべき事項における異常を検出すると、この検出された異常を示す情報を外部のネットワークに送信する。すると、緊急情報受信装置は、前記情報をネットワークを介して受信し、この受信した情報に基づき異常の発生を報知する。よって、簡単なシステム構成でありながら、前記関係者は、何処にいても迅速に当該関係者に通報すべき事項における異常を知ることができ、これにより安心感をもって行動することが可能となる。
【００１３】
また、請求項２に係る発明にあっては、前記異常検出手段は、前記所定の関係者に通報すべき施設に関連する異常を検出する。したがって、例えば当該家屋に居住する家族の各々は、何処にいても迅速に当該家族に通報すべき事項における異常を知ることができる。
【００１４】
また、請求項３に係る発明にあっては、前記異常検出手段は、前記施設自体及び当該施設に配置されている機器の少なくともいずれか一方の異常を検出するものである。したがって、例えば当該家屋に居住する家族の各々は、何処にいても迅速に当該家屋自体、あるいは家屋内に配置されている機器に関する異常を知ることができる。
【００１５】
また、請求項４に係る発明にあっては、前記異常検出手段は、前記所定の関係者の人体に関連する異常を検出するものである。したがって、例えば家族構成員の各々は、何処にいても迅速に他の家族構成員の人体異常を知ることができる。
【００１６】
また、請求項５に係る発明にあっては、前記異常検出手段を有する前記緊急通報発信装置は、人体に着脱自在に装着可能である。したがって、急通報発信装置を必要に応じて人体に装着することができる。
【００１７】
また、請求項６に係る発明にあっては、前記緊急情報受信装置は、人体の腕に装着可能である。したがって、緊急情報受信装を置腕時計と同様に違和感なく腕に装着して携帯することができる。
【００１８】
また、請求項７に係る発明にあっては、前記緊急情報受信装置は、前記受信手段により受信された前記情報に基づき、異常の内容を判別する判別手段を更に備え、前記報知手段は、前記判別手段により判別された異常の内容を報知する。したがって、前記関係者は、何処にいても迅速に当該関係者に通報すべき事項における異常及びその内容を知ることができ、これにより一層安心感をもって行動することが可能となる。
【００１９】
また、請求項８に係る発明にあっては、前記報知手段は、前記異常の内容を表示することにより報知する。したがって、前記関係者は、何処にいても迅速に当該関係者に通報すべき事項における異常及びその内容を視認により確実に知ることができる。
【００２０】
また、請求項９に係る発明にあっては、住宅内に設置された緊急通報発信装置と携帯可能な緊急通報受信装置とからなる緊急通報システムであって、前記緊急通報発信装置は、所定の関係者に通報すべき事項における異常を検出する異常検出手段と、この検出手段により検出された異常を示す情報を外部に送信する送信手段とを備え、前記緊急情報受信装置は、前記送信手段により送信された前記情報を受信する受信手段と、この受信手段により受信された前記情報が家族の異常であるか否か、防災防犯通報であるか否かのいずれか少なくとも一つを判断する判断手段と、この判断手段による判断結果に応じて当該異常の発生を報知する報知手段とを備える。
【００２１】
したがって、家族構成員等の所定の関係者は、外出するに際して緊急情報受信装置を携帯する。一方、緊急通報発信装置は、所定の関係者に通報すべき事項における異常を検出すると、この検出された異常を示す情報を外部に送信する。すると、緊急情報受信装置は、前記情報を受信し、この情報が家族の異常であるか否か、防災防犯通報であるか否かのいずれか少なくとも一つを判断し、この判断結果結果に応じて当該異常の発生を報知する。よって、簡単なシステム構成でありながら、前記関係者は、何処にいても迅速に当該関係者に通報すべき事項における異常及びその種類を知ることができ、これにより安心感をもって行動することが可能となる。
【００２２】
また、請求項１０の発明に係る緊急通報受信装置は、人体の腕に装着可能であって、送信される所定の関係者に通報すべき事項における異常を示す情報を、ネットワークを介して受信する受信手段と、この受信手段により受信された前記情報に基づき前記異常の発生を報知する報知手段とを備える。したがって、前記関係者は、この緊急通報受信装置を腕に装着して外出することにより、何処にいても迅速に当該関係者に通報すべき事項における異常を知ることができる。
【００２３】
また、請求項１１の発明に係る緊急通報受信装置は、前記受信手段により受信された前記情報に基づき、異常の内容を判別する判別手段を更に備え、前記報知手段は、前記判別手段により判別された異常の内容を報知する。したがって、前記関係者は、この緊急通報受信装置を腕に装着して外出することにより、何処にいても迅速に当該関係者に通報すべき事項における異常及びその内容を知ることができる。
【００２４】
また、請求項１２の発明に係る緊急通報受信装置は、携帯可能であって、住宅内に設置された緊急通報発信装置から送信される異常を示す情報を受信する受信手段と、この受信手段により受信された前記情報が家族の異常であるか否か、防災防犯通報であるか否かのいずれか少なくとも一つを判断する判断手段と、この判断手段による判断結果に応じて当該異常の発生を報知する報知手段とを備える。したがって、前記住宅の関係者は、何処にいても迅速に当該関係者に通報すべき事項における異常及びその種類を知ることができ、これにより安心感をもって行動することが可能となる。
【００２５】
【発明の実施の形態】
【００２６】
以下、本発明の実施の形態を図に従って説明する。
【００２７】
（第１の実施の形態）
図１に示すように、本発明の一実施の形態に係る緊急通報システムにおいては、ユーザーＵの身体各部には無線センサ装置１が脱着可能に装着され、ユーザーＵの腕には腕時計端末２が脱着可能に装着される。一方、ユーザーＵが居住する家屋３内には、ホームネットワーク４が設けら、このホームネットワーク４は、ルータ４０１を介して外部ネットワーク５に接続されている。外部ネットワーク５は、ゲートウェイ６、移動体通信網７を介して無線基地局８に接続されているともに、サーバー９を介してデータベース１０に接続されている。そして、無線センサ装置１は、腕時計端末２と無線通信可能であるとともに、ホームネットワーク４とも無線通信可能である。また、腕時計端末２は、無線センサ装置１及びホームネットワーク４と無線通信可能であるのみならず、無線基地局８とも無線通信可能である。
【００２８】
図２は、前記無線センサ装置１と腕時計端末２の回路構成、無線センサ装置１と腕時計端末２とホームネットワーク４の無線接続関係を示すブロック図である。同図に示すように、無線センサ装置１には、ユーザーＵの身体から後述する各種状態を検出するセンサ１０１、このセンサ１０１を駆動するセンサ駆動回路１０２、センサ１０１からの信号を増幅するセンサＡＭＰ．１０３、この増幅された信号をＡ／Ｄ変換するＡ／Ｄ変換器１０４、及びこの変換されたデータを記憶するセンサ計測データメモリ１０５が設けられている。また、これらセンサ駆動回路１０２からセンサ計測データメモリ１０５までを制御するセンサ制御部１０６、通信相手となる外部機器のＩＤを記憶する外部機器ＩＤ部１０７が設けられている。さらに無線センサ装置１には、電池１０８からの電源を各部に供給する電源制御部１０９、各部を制御する制御回路１１０が設けられているとともに、時計／タイマー１１１、ＲＯＭ１１２、ＲＡＭ１１３が設けられている。また、制御回路１１０には、操作部１１４が接続されているとともに、入出力Ｉ／Ｆ１１５及び無線送受信部１１６を介してアンテナ１１７が接続されている。
【００２９】
なお、センサ１０１、センサ駆動回路１０２、センサＡＭＰ．１０３、センサ制御部１０６、外部機器ＩＤ部１０７は、脱着式カード等のセンサユニット１１８で構成され着脱自在である。よって、このセンサユニット１１８を交換することにより、後述するように無線センサ装置１のセンサ機能を自在に変化させることができる。
【００３０】
腕時計端末２は、電池２３１からの電源を各部に供給する電源制御部２３２、前記無線基地局８と通信を行うための無線電話部２０１、前記無線センサ装置１及びホームネットワーク４と通信を行うための無線送受信部２０２とを備えている。無線電話部２０１は、一般的な携帯電話と同様に、スピーカ２０３、マイクロフォン２０４、音声処理部２０５、通信制御部２０６、アンテナ２０８に接続された送受信部２０７を有している。無線送受信部２０２は、ベースバンド制御部２０９と、アンテナ２１１に接続されたＲＦ／受送信部２１０とを有している。また、この腕時計端末２には、各部を制御する制御部２１２、操作部２１３、表示部２１４、時計部２１９、ＩＤ／ＳＩＭ２１５、ＲＯＭ２１６、ＲＡＭ２１７が設けられているとともに、無線送受信部２０２を制御する入出力制御部２１８が設けられている。
【００３１】
さらに制御部２１２には、通信用共通データメモリ２２０、付加機能データメモリ２２１、付加機能ソフトメモリ２２２が接続されている。付加機能データメモリ２２１には、本人プロファイルメモリ２２３、端末位置情報メモリ２２４、ホーム機器／センサ情報メモリ２２５、機器Ｏｂｊ２２６、サービスＯｂｊ２２７が設けられている。また、付加機能ソフトメモリ２２２には、メールソフト、ブラウザ、ネットワーク通信ソフト、サービスアプリケーション等の各種プログラムが格納されている。前記ホーム機器／センサ情報メモリ２２５には、ホームネットワーク４から送信されてきた情報が記憶されるとももに、当該ユーザーＵが装着している無線センサ装置１が常時送信してくるセンサ情報が時系列的に記憶される。
【００３２】
他方、ホームネットワーク４には、アンテナ４０２を介して前記無線センサ装置１及び腕時計端末２と通信を行う無線ＬＡＮターミナル４０３が無線モジュール／ＨＵＢ４０４を介して接続され、機器４０５、住宅設備４０６、センサー４０７、アクチュエータ４０８が各々アダプタ４０９を介して接続され、さらに制御装置／操作盤４１０が無線モジュール／ＨＵＢ４０４を介して接続されている。制御装置／操作盤４１０は、ホームネットワーク４を制御し、ルータ４１を介して外部ネットワーク５と通信接続する機能を備えているとともに、計時手段を内蔵している。
【００３３】
なお、前記データベース１０には、後述する図８に示すように、各家族単位で、無線センサ装置１により検出された体温や心拍数、所在地等を表示するためのデータを格納する記憶領域が設けられており、無線センサ装置１により検出されて各種センサ値は定期的に、ホームネットワーク４側あるいは腕時計端末２側から外部ネットワーク５及びサーバー９を介して、データベース１０の対応する記憶領域に記憶される。また、データベース１０には、各家族の現在位置を表示する際に用いられる地図データも格納されている。
【００３４】
図３は、ホームネットワーク４の具体例を示すものであり、前記機器４０５としては、照明４０５１、エアコン４０５２、冷蔵庫４０５３、テレビ４０５４等を備えている。これら機器は、異常が発生した場合にはホームネットワーク４に異常発生を示す信号を出力する機能、ホームネットワーク４が受信した外部からの制御信号に従って動作する機能、及びホームネットワーク４に対して制御信号や情報を要求する機能／情報機能等を備えている。
【００３５】
住宅設備４０６としては、電力メーター４０６１、ブロッキングフィルタ４０６２等を備える。センサー４０７としては、外部者の侵入を感知する侵入センサー４０７１、火災及びガス漏れを検出する火災／ガス漏れセンサー４０７２、降雨及び花粉を検出する降雨／花粉検出センサー４０７３、湯量及びガスの燃焼を検出する湯量／ガスセンサ４０７４、部屋毎の室温を検出する室温センサ（図示せず）、外気温を検出する外気温センサ（図示せず）、部屋毎の消費電力を検出する消費電力センサ（図示せず）等を備える。アクチュエータ４０８としては、ガレージ及び玄関の施解錠、開閉を検出する施解錠装置４０８１、警報器４０８２等を備え、制御装置／操作盤４１０としてはＰＣ４１０１、操作盤／監視モニタ４１０２等を備える。
【００３６】
なお、前述したように無線センサ装置１において、センサ１０１、センサ駆動回路１０２、センサＡＭＰ．１０３、センサ制御部１０６、外部機器ＩＤ部１０７は、脱着式カード等のセンサユニット１１８で構成され着脱自在である。よって、このセンサユニット１１８を交換することにより、無線センサ装置１のセンサ機能を自在に変化させることができる。すなわち、センサユニット１１８を交換することにより、ユーザーＵの体温を検出する体温センサ、心拍数を検出する心拍センサ、血圧を検出する血圧センサ、現在位置を検出する位置センサ等の機能を発生することができる。
【００３７】
以上の構成にかかる本実施の形態においてユーザーＵは、図１（ａ）に示すように家屋３内にいる場合（在宅中）には腕時計端末２のみを腕に装着し、あるいは同図（ｂ）に示すように無線センサ装置１のみを身体に装着し、若しくは無線センサ装置及び１腕時計端末２を装着しておく。また、同図（ｃ）に示すように、外出する場合には、無線センサ装置及び１腕時計端末２を装着しておく。
【００３８】
かかる状態において、腕時計端末２の制御部２１２がプログラムに基づき制御を実行することにより、腕時計端末２は図４に示すフローチャートに示すように動作する。なお、以下の説明においては、図１（ｃ）に示したように、ユーザーＵが家屋３の近くに居て腕時計端末２が直接ホームネットワーク４と通信する場合ではなく、ユーザーＵが遠方に外出して当該ユーザーＵが装着装着している腕時計端末２により、同図（ｄ）に示すように無線基地局８を介して通信を行う場合について説明する。
【００３９】
まず、初期設定を行い（ステップＳ１）、しかる後にＨＡＬＴ状態を形成してキー入力又は時計キャリー（例えば、１／１６秒、毎１秒毎等）の割り込みのいずれかがあるまで待機し（ステップＳ２）、キー入力があった場合には、後述するキー入力設定処理（ステップＳ３２）を実行する。また、時計部２１９から時計キャリーが発生した場合には、表示部２１４の時刻表示を変更する等の時計処理やアラーム処理等の時計機能処理を実行する（ステップＳ３）。次に、予めＲＯＭ２１６に記憶されているセンサの定期確認時間となったか否かを判断する（ステップＳ４）。センサの定期確認時間となった場合には（ステップＳ４；ＹＥＳ）、発呼動作を行って各機器の動作状態情報要求を送信する（ステップＳ５）。
【００４０】
すなわち、腕時計端末２は、無線基地局８を介して移動体通信網７に接続し、ゲートウェイ６、外部ネットワーク５、ルータ４０１を介してホームネットワーク４に接続し、該ホームネットワーク４の制御装置／操作盤４１０に、各機器の動作状態情報要求を送信する。このとき制御装置／操作盤４１０は、ホームネットワーク４に接続された機器４０５、住宅設備４０６、センサー４０７、アクチュエータ４０８の動作状態、及び図１（ｂ）に示した在宅中のユーザーＵが装着して無線センサ装置１からの送信信号を常時検出しており、これら検出している各機器の動作状態を示す動作状態情報応答をルータ４０１、外部ネットワーク５、ゲートウェイ６、移動体通信網７及び無線基地局８を介して腕時計端末２に送信する。すると、腕時計端末２はこの動作状態情報応答を受信し（ステップＳ６）、この受信した動作状態情報応答に基づき、ホーム機器／センサ情報メモリ２２５に記憶されている動作状態情報を更新する（ステップＳ７）。
【００４１】
さらに、当該ユーザーＵが装着している腕時計端末２の状態、及び当該ユーザーＵが装着して腕時計端末２と無線通信を行っている無線センサ装置１の情報も前述と同様に、ホームネットワーク４に送信する（ステップＳ８）。次に、前記ステップＳ６で受信した動作状態情報応答に基づきホームネットワーク４側の機器及びセンサに異常がないか否かを判断するとともに、当該ユーザーＵが装着して腕時計端末２と無線通信を行っている無線センサ装置１からの情報に基づき異常がないか否かを判断する。そして、異常がある場合にはステップＳ１１に進み、異常がない場合にはステップＳ２９に進む。
【００４２】
一方、ホームネットワーク４の制御装置／操作盤４１０は、前述のようにホームネットワーク４に接続された機器４０５、住宅設備４０６、センサー４０７、アクチュエータ４０８の動作状態、及び図１（ｂ）に示した在宅中のユーザーＵが装着して無線センサ装置１からの送信信号を常時検出しており、これらの検出結果、及びこの検出結果が緊急情報である場合にはその旨の情報を付加して定期的にルータ４０１、外部ネットワーク５、ゲートウェイ６、移動体通信網７及び無線基地局８を介して外出中のユーザーＵが装着している腕時計端末２に送信する。そして、このホームネットワーク４からの定期的な送信を受信すると、ステップＳ２で割り込みありと判断され、ステップＳ２からステップＳ１０に進み、この受信が緊急情報であるか否かを判断する（ステップＳ１０）。
【００４３】
このステップＳ１０での判断の結果、ホームネットワーク４からの送信情報が緊急情報である場合、及び前述したステップＳ９で異常ありと判断された場合には、ステップＳ１１に進む。そして、このステップＳ１１で異常が、ホームネットワーク４側から送られてきた在宅中の家族の異常、又は当該外出中のユーザーＵが装着している無線センサ装置１が検出した自身の異常であるかを判断する。家族の異常である場合には、家族緊急の報知を行って（ステップＳ１２）、家族緊急状態の表示を実行する（ステップＳ１３）。
【００４４】
すなわち、在宅中の家族「Ｈｉｒｏｓｈｉ」が無線センサ装置１として、体温を検出する体温センサ機能を有するものと、心拍数を検出する心拍センサ機能を有するものとを装着していたとし、この両者とも異常な値となった場合には、図５に示すように、体温センサ機能により検出した異常値を「体温計１・・・３９．０℃」として表示部２１４に表示するとともに、心拍センサにより検出した異常値を「心拍計１・・・９０拍／分」として表示部２１４に表示する。
【００４５】
また、ステップＳ１１での判断の結果、家族／自身の異常でなかった場合には、防災／防犯通報であるか否かを判断する（ステップＳ１６）。そして、ホームネットワーク４からの緊急通報が、侵入センサー４０７１や火災／ガス漏れセンサー４０７２が異常を感知したことを示す防災／防犯通報であった場合には、防災防犯の報知を行って（ステップＳ１７）、防災防犯情報の表示を実行する（ステップＳ１８）。
【００４６】
すなわち、例えば施解錠装置４０８１が玄関の開閉を検出し、侵入センサー４０７１が外部者の侵入を感知した場合には、図６に示すように、「２１；０１：玄関の扉が開きました！！」「２１；０２：屋外、表に人が来ました！！」なる報知情報を他の情報とともに表示部２１４に表示する。
【００４７】
また、ステップＳ１６での判断の結果、防災／防犯通報でなかった場合には、機器の異常であるか否かを判断する（ステップＳ１９）。そして、ホームネットワーク４からの緊急通報が、機器の異常を感知したことを示す機器異常通報であった場合には、機器異常の報知を行って（ステップＳ２０）、機器異常内容の表示を実行する（ステップＳ２１）。すなわち、照明４０５１が異常となってホームネットワーク４に異常信号を出力した場合には、図７に示すように、「洋室：照明が異常です！！」なる報知情報を他の情報とともに表示部２１４に表示する。
【００４８】
また、ステップＳ１０での判断の結果、緊急通報の受信ではなかった場合には、機器からの機能／情報要求であるか否かを判断する（ステップＳ２２）。ホームネットワーク４から割り込みが機器からの機能／情報要求である場合には、機能／情報要求に応答を返す（ステップＳ２３）。
【００４９】
そして、ステップＳ１３、Ｓ１８、Ｓ２１、Ｓ２３のいずれかに続くステップＳ１４では、ホームネットワーク４が対処操作を要求しているか否かを判断し、要求している場合には、対処操作メニューを表示部２１４に表示させる（ステップＳ１５）。また、ステップＳ２２での判断の結果、機器からの機能／情報要求でなかった場合には、メール等の着信であるか否かを判断する（ステップＳ２４）。メール等の着信であった場合には、着信報知（ステップＳ２６）及び着信歩表示（ステップＳ２７）を行うとともに、メール等の自動受信、受信処理を実行する（ステップＳ２８）。さらに、ステップＳ２４での判断の結果、メール等の着信でなかった場合には、その他の割り込み処理を実行する（ステップＳ２５）。
【００５０】
また、ステップＳ４の判断がＮＯであった場合、及びステップＳ１５、Ｓ２５、Ｓ２８に続くステップＳ２９では、各モードの表示処理を実行する。このステップＳ２９でのモードの表示処理においては、時計表示、機能メニュー表示、当該ユーザーＵが装着している無線センサ装置１が検出したデータの表示、ホーム機器及びセンサの動作状態表示、ホーム機器操作制御表示、家族状態表示、メール等その他機能表示、各種設定状態表示などを行う。
【００５１】
すなわち、前述のように、データベース１０には、各家族単位で、無線センサ装置１により検出された体温や心拍数、所在地等を表示するためのデータを格納する記憶領域が設けられており、無線センサ装置１により検出されて各種センサ値は定期的に、ホームネットワーク４側あるいは腕時計端末２側から外部ネットワーク５及びサーバー９を介して、データベース１０の対応する記憶領域に記憶されている。したがって、この記憶領域に記憶されている家族単位のデータを、サーバー９を介してデータベース１０からダウンロードすることにより、図８に示すように、表示部２１４に家族の生体データの一覧表示を行う。あるいは、図９に示すように、家族の生体データを他のデータとともに表示することにより、各家族のデータ（個人プロファイル）を表示部２１４に一覧表示する。
【００５２】
また、所望する家族を指定して、前記ダウンロードしたデータから所望する家族の位置データを取得した場合には、図１０に示すように、指定した家族（本例では、「Ｊｉｒｏ」）の位置データを地図データとともに表示する。
【００５３】
また、前述のように前記ホーム機器／センサ情報メモリ２２５には、当該ユーザーＵが装着している無線センサ装置１が常時送信してくるセンサ情報が時系列的に記憶されることから、図１１に示すように、このホーム機器／センサ情報メモリ２２５に記憶されている当該ユーザーＵ（本例では、「Ｉｃｈｉｒｏ」）のセンサデータを読み出して表示する。
【００５４】
また、前記室温センサ、外気温センサ、消費電力センサにより検出されたデータに基づき、図１２に示すように、指定されている部屋（本例では「ＬＤＫ」）の室温と消費電力とを外気温とともに表示する。あるいは、図１３に示すように、全ての部屋の室温を表示する。また、図１４に示すように、当該家庭における住宅機器、設備の一覧表示を行い、あるいは図１５に示すように、部屋別の機器及び家族の一覧表示を行う。
【００５５】
なお、各部屋にホームネットワーク４と接続した監視カメラを設置した場合には、監視カメラからの画像をサーバー９を介して腕時計端末２に送信することにより、図１６に示すように、各部屋の状態を表示部２１４に画像表示することもできる。
【００５６】
そして、ステップＳ２９に続くステップＳ３０では、パワーセーブ時間等の再設定を行った後、キー入力があったか否かを判断する（ステップＳ３１）。このステップＳ３１又は前記ステップＳ２でキー入力ありと判断された場合には、キー入力処理を実行する（ステップＳ３２）。
【００５７】
すなわち、キー入力に応じて表示モードの切り換えを行い（ステップＳ３３）、ホーム機器の操作／設定操作を取り込んで（ステップＳ３４）、これに応じてホーム機器との通信処理を実行する（ステップＳ３５）。また、緊急ボタンの操作を取り込んで（ステップＳ３６）、緊急通報の送信を行い（ステップＳ３７）、メール確認、送受信操作を取り込んで（ステップＳ３８）、メール通信処理を実行する（ステップＳ３９）。さらに、キー入力に応じて時計、各種機能の設定（ステップＳ４０）、あるいはその他の処理を実行し（ステップＳ４１）、しかる後に、ステップＳ２に戻ってＨＡＬＴの状態を形成する。
【００５８】
なお、以上の説明においては、ユーザーＵが遠方に外出して当該ユーザーＵが装着装着している腕時計端末２により、無線基地局８を介して通信を行う場合について説明したが、図１（ｃ）に示したように、ユーザーＵが家屋３の近くに居て腕時計端末２がホームネットワーク４と通信可能である場合には、ホームネットワーク４から直接各種データを受信して、前述した図４に示したフローチャートに従い処理を実行すればよい。
【００５９】
（第２の実施の形態）
図１７は、本発明の第２実施の形態にかかる緊急通報システムを示すものである。この第２の実施の形態に係る緊急通報システムは、図１に示した構成に、無線基地局８と通信可能な携帯電話端末６０、及びこの携帯電話端末６０と近接無線通信する腕時計型無線リンク端末５０とを加えて構成されている。
【００６０】
図１８は、本発明の第２実施の形態における前記無線センサ装置１、腕時計型無線リンク端末５０、ホームネットワーク４及び携帯電話端末６０の回路構成を示すブロック図である。同図に示すように、ホームネットワーク４は図２に示した第１の実施の形態と同一構成であるので、同一部分に同一符号を付して説明を省略する。また、無線センサ装置１も無線送受信部１１６に代わって、ＢＴ（Ｂｌｕｅｔｏｏｔｈ）など／無線リンク部１２０が設けられている以外は図２に示した第１の実施の形態と同一構成であるので、同一部分に同一符号を付して説明を省略する。
【００６１】
腕時計型無線リンク端末５０には、電池５０１からの電源を各部に供給する電源制御部５０２、及び各部を制御する制御部５０３が設けられているとともに、操作部５０４、表示部５０５、報知部５０６が設けられている。また、所定周波数のクロックを生成する発振部５０７、この発振部５０７からのクロックに基づく現在時刻を生成する時計部５０８、及び前記無線センサ装置１とホームネットワーク４から送信されてきたデータを記憶するホーム機器／センサ情報データメモリ５０９が設けられている。さらに、無線センサ装置１とホームネットワーク４及び携帯電話端末６０と近接無線通信を行うための通信ソフトや制御部５０３が各部を制御するためのプログラムが格納されたＲＯＭ５１０、本人プロファイルデータ等が格納される
【００６２】
また、制御部５０３には、入出力制御部５１２を介して無線リンク部５１３が接続されている。無線リンク部５１３は、ベースバンド制御部５１４とアンテナ５１６が接続されたＲＦ／受送信部５１５とで構成され、この無線リンク部５１３により腕時計型無線リンク端末５０は、ホームネットワーク４の無線リンクターミナル４０３及び無線センサ装置１と近距離無線リンク接続可能に構成されている。
【００６３】
前記携帯電話端末６０は、前記無線基地局８と通信を行うための無線電話部６０１、前記腕時計型無線リンク端末５０と通信を行うための無線リンク部６０２とを備えている。無線電話部６０１は、一般的な携帯電話と同様に、スピーカ６０３、マイクロフォン６０４、音声処理部６０５、通信制御部６０６、アンテナ６０８に接続された送受信部６０７を有している。無線リンク部６０２は、ベースバンド制御部６０９と、アンテナ６１１に接続されたＲＦ／受送信部６１０とを有している。また、この携帯電話端末６０には、各部を制御する制御部６１２、操作部６１３、表示部６１４、ＩＤ／ＳＩＭ６１５、ＲＯＭ６１６、ＲＡＭ６１７が設けられているとともに、無線リンク部６０２を制御する入出力制御部６１８が設けられている。ＲＯＭ６１６には、前述の図４に示したフローチャートに従った処理を実行するためのプログラムが格納されている。
【００６４】
したがって、この実施の形態においては、ユーザは無線センサ装置１を前述したように身体各部に装着し、腕時計型無線リンク端末５０を腕に装着するとともに、携帯電話端末６０を携帯する。すると、無線センサ装置１で検出されたデータが腕時計型無線リンク端末５０で受信された後、携帯電話端末６０送信されて受信される。そして、携帯電話端末６０が前述の図４に示したフローチャートに従って処理を実行することにより、第１の実施の形態と同様の作用効果が得られることとなる。よって、この実施の形態によれば、既存の携帯電話端末に近接無線通信機能を付加することにより、これを有効利用して緊急通報システムを達成することができる。
【００６５】
なお、無線センサ装置と腕時計型端末との無線リンクは、Ｂｌｕｅｔｏｏｔｈなどの近接無線リンク手段、あるいは赤外線や電磁誘導、電磁結合、微弱電波や特定小電力無線、あるいは、ＰＨＳや携帯電話の移動体通信網、無線ＬＡＮ等で構成してもよい。
【００６６】
【発明の効果】
【００６７】
以上説明したように本発明に係る緊急通報システムによれば、所定の関係者に通報すべき事項における異常が検出されると、この検出された異常を示す情報が外部のネットワークを介して送信されて緊急情報受信装置に受信され、緊急情報受信装置により異常の発生が報知されることから、簡単なシステム構成でありながら関係者は、何処にいても迅速に当該関係者に通報すべき事項における異常を知ることができ、これにより安心感をもって行動することが可能となる。
【００６８】
また、本発明に係る緊急通報受信装置によれば、所定の関係者は、この緊急通報受信装置を腕に装着して外出することにより、何処にいても迅速かつ手軽に当該関係者に通報すべき事項における異常を知ることができ、これにより安心感をもって行動することが可能となる。
【図面の簡単な説明】
【図１】本発明の第１の実施の形態を示すシステム構成図である。
【図２】同実施の形態における無線センサ装置と腕時計端末の回路構成、無線センサ装置と腕時計端末とホームネットワークの無線接続関係を示すブロック図である。
【図３】ホームネットワークを構成する機器の具体例を示す図である。
【図４】腕時計端末の処理手順を示すフローチャートである。
【図５】図４のフローチャートにおけるステップＳ１３の表示例を示す図である。
【図６】図４のフローチャートにおけるステップＳ１８の表示例を示す図である。
【図７】図４のフローチャートにおけるステップＳ２１の表示例を示す図である。
【図８】家族の生体データ（センサデータ）の一覧表示例を示す図である。
【図９】家族のデータ（個人プロファイル）を一覧表示例を示す図である。
【図１０】家族の所在位置の表示例を示す図である。
【図１１】個人毎の生体データ（センサデータ）の一覧表示例を示す図である。
【図１２】ホームネットワーク内のセンサの検出値に基づく、指定されている部屋の室温と消費電力、及び外気温の表示例を示す図である。
【図１３】全ての部屋の室温表示例を示す図である。
【図１４】当該家庭における住宅機器、設備の一覧表示例を示す図である。
【図１５】部屋別の機器及び家族の一覧表示例を示す図である。
【図１６】各部屋の状態の画像表示例を示す図である。
【図１７】本発明の第２の実施の形態を示すシステム構成図である。
【図１８】同実施の形態における無線センサ装置、腕時計型無線リンク端末、携帯電話端末の回路構成、無線センサ装置と腕時計型無線リンク端末と携帯電話端末とホームネットワークの無線接続関係を示すブロック図である。
【符号の説明】
１    無線センサ装置
２    腕時計端末
３    家屋
４    ホームネットワーク
５    外部ネットワーク
６    ゲートウェイ
７    移動体通信網
８    無線基地局
９    サーバー
１０    データベース
４１    ルータ
１０１    センサ
１０２    センサ駆動回路
１１０    制御回路
１１８    センサユニット
２０７    送受信部
２１２    制御部
２１３    操作部
２１４    表示部
４０５    機器
４０６    住宅設備
４０７    センサー
４０８    アクチュエータ
４１０    制御装置／操作盤
５０２    電源制御部
５０３    制御部
５０４    操作部
５０５    表示部
４１０２    操作盤／監視モニタ
Ｕ    ユーザー
【図１】
2004304690.tif 000003
【図２】
2004304690.tif 000004
【図３】
2004304690.tif 000005
【図４】
2004304690.tif 000006
【図５】
2004304690.tif 000007
【図６】
2004304690.tif 000008
【図７】
2004304690.tif 000009
【図８】
2004304690.tif 000010
【図９】
2004304690.tif 000011
【図１０】
2004304690.tif 000012
【図１１】
2004304690.tif 000013
【図１２】
2004304690.tif 000014
【図１３】
2004304690.tif 000015
【図１４】
2004304690.tif 000016
【図１５】
2004304690.tif 000017
【図１６】
2004304690.tif 000018
【図１７】
2004304690.tif 000019
【図１８】
2004304690.tif 000020